【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
計量された量の流体を収容すると共に供給する流体ディスペンサであって、
流体を収容するリザーバと、
或る量の流体を収容する前記リザーバ内に実質的に位置決めされるチャンバと、
前記チャンバに対して第１の方向へ移動すると流体を前記チャンバ内へ引き込み、且つ前記第１の方向とは反対の第２の方向へ移動すると前記チャンバから流体を吐出する、前記チャンバ内で移動可能なピストンと、
前記ピストンに連結されており、前記ピストンを前記チャンバに対して移動させるように動かすことができるユーザ操作可能な制御部と、
前記第１の方向及び前記第２の方向の少なくとも一方への前記ピストンの移動を選択的に可能にする及び阻止するように、前記ピストンに対して移動可能である歯止めと、を備える、流体ディスペンサ。
【請求項２】
前記第１の方向及び前記第２の方向の少なくとも一方への前記ピストンの移動を選択的に可能にする又は阻止するように、前記歯止めと解放可能に係合可能な少なくとも２つの歯をさらに備える、請求項１に記載の流体ディスペンサ。
【請求項３】
前記歯止めは、前記ピストンの第１の状態において、前記第１の方向及び前記第２の方向の少なくとも一方への前記チャンバに対する前記ピストンの移動を阻止し、且つ前記第１の方向及び前記第２の方向の他方への前記チャンバに対する前記ピストンの移動を可能にする、請求項１に記載の流体ディスペンサ。
【請求項４】
前記ピストン及び前記チャンバはポンプの少なくとも一部を合わせて画定し、
前記歯止めは、円形の断面形状を有し、前記ピストンと前記ポンプの壁との間に位置する、請求項１に記載の流体ディスペンサ。
【請求項５】
前記第１の方向及び前記第２の方向の一方における前記ピストンの前記チャンバ内への移動を制限する第１の止め部と、
前記第１の方向及び前記第２の方向の他方における前記チャンバから出る前記ピストンの移動を制限する第２の止め部であって、前記ピストンが前記第１の止め部から第２の止め部へ移動してくると、第１の容積の流体を前記チャンバ内で移動させる第２の止め部と、をさらに備え、
前記歯止めは、前記第１の止め部と前記第２の止め部との間で前記第１の方向へのピストン移動を可能にし、且つ前記ピストンが前記第２の止め部に達するまで前記第２の方向へのピストン移動を阻止する、請求項１に記載の流体ディスペンサ。
【請求項６】
前記歯止めは、前記ピストンが前記第２の止め部に達するとピストン移動の反転を可能にする、請求項５に記載の流体ディスペンサ。
【請求項７】
前記歯止めは、前記ピストンに沿った少なくとも１つの場所においてピストン移動の反転を可能にし、且つ前記ピストンに沿った他の場所においてピストン移動の反転を制限する、請求項５に記載の流体ディスペンサ。
【請求項８】
前記第１の方向及び前記第２の方向の一方における前記ピストンの前記チャンバ内への移動を制限する第３の止め部と、
前記第１の方向及び前記第２の方向の他方における前記チャンバから出る前記ピストンの移動を制限する第２の止め部であって、前記ピストンが前記第１の止め部から前記第３の止め部へ移動すると、前記第１の容積とはサイズが異なる第２の容積の流体を前記チャンバ内で移動させる第２の止め部と、をさらに備え、
前記歯止めは、前記第１の止め部と前記第３の止め部との間で前記第１の方向へのピストン移動を可能にし、且つ前記ピストンが前記第３の止め部に達するまで前記第２の方向へのピストン移動を阻止する、請求項５に記載の流体ディスペンサ。
【請求項９】
前記ポンプの第１の状態において、前記ピストンは、前記チャンバから第１の量の流体を吐出するための第１のストローク距離の移動が制限され、
前記ポンプの第２の状態において、前記ピストンは、前記第１の量の流体とは異なる第２の量の流体を吐出するための、前記第１のストローク距離とは異なる第２のストローク距離の移動が制限される、請求項１に記載の流体ディスペンサ。
【請求項１０】
ガスが前記流体ディスペンサから出るときに通る通気口と、
補充ポートと、をさらに備え、
前記補充ポートは、栓が前記通気口を閉じる第１の位置と、前記通気口が開く第２の位置との間で移動可能である、請求項１に記載の流体ディスペンサ。
【請求項１１】
前記ピストンの前記チャンバに対する移動を制御するように、前記ピストン及び前記チャンバの壁の少なくとも一方に画定される第１の開口に対して摺動可能に嵌合する突起をさらに備える、請求項１に記載の流体ディスペンサ。
【請求項１２】
前記突起は、前記ピストンの前記チャンバに対する移動を制御するように、前記ピストン及び前記チャンバの壁の少なくとも一方に画定される第２の開口に沿って摺動可能であり、且つ前記第１の開口及び前記第２の開口に対して移動可能であると共に、前記第１の開口及び前記第２の開口の間を移動可能である、請求項１１に記載の流体ディスペンサ。
【請求項１３】
前記第１の開口及び前記第２の開口は、前記突起の前記第１の開口及び前記第２の開口の間の移動を可能にするように互いに連通している、請求項１２に記載の流体ディスペンサ。
【請求項１４】
前記第１の開口及び前記第２の開口は前記ピストンに沿って延びる、請求項１２に記載の流体ディスペンサ。
【請求項１５】
前記第１の開口及び前記第２の開口は異なる長さを有する、請求項１４に記載の流体ディスペンサ。
【請求項１６】
前記第１の開口は前記チャンバに隣接して配置されるスリーブに画定され、前記突起は前記ピストンと共に移動可能である、請求項１１に記載の流体ディスペンサ。
【請求項１７】
前記スリーブは取り外し可能である、請求項１５に記載の流体ディスペンサ。
【請求項１８】
前記第１の開口は、前記ピストンに連結されるプレートに画定され、前記突起は、前記ピストンに対して実質的に固定されている、請求項１１に記載の流体ディスペンサ。
【請求項１９】
流体が前記リザーバに入るときに通ることができる補充ポートと、
前記補充ポートに連結され、前記補充ポートに対して異なる位置へ枢動可能なカムと、をさらに有する、請求項１に記載の流体ディスペンサ。
【請求項２０】
前記チャンバ及び前記ピストンは、ポンプを少なくとも部分的に画定し、
前記歯止めは、前記ポンプに枢動可能に接続される、請求項１に記載の流体ディスペンサ。
【請求項２１】
流体を収容すると共に供給し、且つ流体源から補充される流体ディスペンサであって、
流体を収容するリザーバと、
或る量の流体を収容する前記リザーバ内に実質的に位置決めされるチャンバと、
前記チャンバに対して第１の方向へ移動すると流体を前記チャンバ内へ引き込み、且つ前記第１の方向とは反対の第２の方向へ移動すると前記チャンバから流体を吐出する、前記チャンバ内で移動可能なピストンと、
前記ピストンを前記チャンバ内で移動させるように動作可能であるユーザ操作可能な制御部と、
前記リザーバに連結され、前記リザーバの内部と外部との間で流体連通を確立する通気口を画定するキャップと、
前記リザーバの内部と前記流体源とを選択的に流体連通させる弁であって、前記弁を通る流体の流れを可能にする開位置と、前記弁を通る流体の流れを阻止する閉位置とを有する弁と、
前記キャップに連結され、前記弁の動きに応じて前記通気口を選択的に閉じるように前記通気口に挿入可能な栓と、を備える、流体ディスペンサ。
【請求項２２】
前記キャップに連結されるバッグバルブであって、前記リザーバ内への流体の流れを可能にし、且つ前記バッグバルブを通って前記リザーバから出る流れを阻止するバッグバルブをさらに備える、請求項２１に記載の流体ディスペンサ。
【請求項２３】
前記キャップに連結されると共に第１の位置から第２の位置へ移動可能であり、前記弁を部分的に開いた位置からより完全に開いた位置へ開くカムをさらに備える、請求項２１に記載の流体ディスペンサ。
【請求項２４】
前記弁を通る前記流体源からの流体の流れは、前記弁の前記部分的に開いた位置で阻止され、流体は前記弁から流出することが可能である、請求項２３に記載の流体ディスペンサ。
【請求項２５】
前記第１の方向における前記ピストンの前記チャンバ内への移動を制限する第１の止め部と、
前記第１の方向とは反対の前記第２の方向への前記ピストンの移動を制限する第２の止め部及び第３の止め部と、をさらに備え、
前記第２の止め部及び前記第３の止め部は、前記第２の方向への前記ピストンの移動を異なる範囲に制限する、請求項２１に記載の流体ディスペンサ。
【請求項２６】
前記第１の止め部及び前記第２の止め部の間の少なくとも１つの中間の場所において、前記第２の方向への前記ピストンの移動を選択的に阻止するように移動可能である歯止めをさらに備える、請求項２５に記載の流体ディスペンサ。
【請求項２７】
前記歯止めは、前記第１の止め部及び前記第３の止め部の間の少なくとも１つの中間の場所において、前記第２の方向への前記ピストンの移動も選択的に阻止する、請求項２６に記載の流体ディスペンサ。
【請求項２８】
前記ピストンの移動は、前記ピストンが前記第１の止め部、前記第２の止め部及び前記第３の止め部に達すると反転可能であり、前記第１の止め部、前記第２の止め部及び前記第３の止め部の中間の位置範囲では反転可能ではない、請求項２６に記載の流体ディスペンサ。
【請求項２９】
流体をリザーバから計量された量で供給する方法であって、
複数の量から、前記リザーバから供給する流体の所望の量を選択すること、
ユーザ操作可能な制御部を、複数の位置のうちの第１の位置へ動かすこと、
ピストンを、前記流体の所望の量に対応する第１の距離だけチャンバに対して第１の方向へ移動させること、
前記ピストンを前記第１の距離だけ前記第１の方向へ移動させることによって、前記チャンバ内へ流体を引き込むこと、
前記第１の距離に達する前の、前記第１の方向とは反対の第２の方向への前記ピストンの移動に抵抗すること、
前記ピストンを前記チャンバに対して前記第２の方向へ移動させること、
前記ピストンを前記第２の方向へ移動させることによって、前記チャンバから前記流体の所望の量を供給する、方法。
【請求項３０】
前記ピストンを第２の距離だけ前記第２の方向へ移動させること、
前記第２の距離に達する前の前記第１の方向への前記ピストンの移動に抵抗することをさらに含む、請求項２９に記載の方法。
【請求項３１】
前記第１の距離及び前記第２の距離は実質的に等しい、請求項３０に記載の方法。
【請求項３２】
前記第１の距離は、前記第１の方向への前記ピストンの移動の終点にある第１の止め部及び第２の止め部によって少なくとも部分的に画定される、請求項３０に記載の方法。
【請求項３３】
前記流体の所望の量は、第１の流体の所望の量であり、
前記複数の量から、前記リザーバから供給される第２の流体の所望の量を選択することであって、前記第１の流体の所望の量及び前記第２の流体の所望の量は互いに異なること、
前記ユーザ操作可能な制御部を、前記複数の位置のうちの第３の位置へ動かすこと、
前記ピストンを、前記第２の流体の所望の量に対応する第２の距離だけ前記チャンバに対して前記第１の方向へ移動させること、
前記ピストンを前記第２の距離だけ前記第１の方向へ移動させることによって、前記チャンバ内へ流体を引き込むこと、
前記第２の距離に達する前の前記第１の方向とは反対の第２の方向への前記ピストンの移動に抵抗すること、
前記ピストンを前記チャンバに対して前記第２の方向へ移動させること、
前記ピストンを前記第２の方向へ移動させることによって、前記チャンバから前記第２の流体の所望の量を供給すること、をさらに含む、請求項３０に記載の方法。
【請求項３４】
前記ユーザ操作可能な制御部を動かすことは、前記ユーザ操作可能な制御部を回転させることを含む、請求項２９に記載の方法。
【請求項３５】
前記ユーザ操作可能な制御部を回転させることによって前記ピストンを回転させることをさらに含む、請求項３４に記載の方法。
【請求項３６】
前記ピストンの移動に抵抗することは、歯止めにより前記ピストンの移動に抵抗することを含む、請求項２９に記載の方法。
【請求項３７】
前記歯止めは、前記リザーバに対して実質的に固定されている軸を中心に枢動可能に連結されている、請求項３６に記載の方法。
【請求項３８】
前記ピストンを前記第１の方向及び前記第２の方向の少なくとも一方へ移動させるときに、前記歯止めを前記ピストンと共に移動させることをさらに含む、請求項３６に記載の方法。
【請求項３９】
前記ピストンを前記第１の方向及び前記第２の方向の少なくとも一方へ移動させるときに、前記歯止めを複数の歯にわたって移動させることをさらに含む、請求項３６に記載の方法。
【請求項４０】
前記ピストンを前記第１の方向及び前記第２の方向の少なくとも一方へ移動させるときに、前記歯止めを表面の周りに巻き付けることをさらに含む、請求項３６に記載の方法。